(57)【要約】【課題】  伸縮ステーのロック杆を案内する案内部材を取り付ける特別な作業を必要とすることなく、少ない部品で伸縮ステーを組み立てることができる。【解決手段】  内側アーム１２とこの内側アーム１２が摺動自在に嵌合された外側アーム１４とを含むステー本体１６を備え、これらの内外のアーム１２、１４を所定の重合位置でロックするため、外側アーム１４に取り付けられた案内部材５０に配置されたロックばね５２によってロック杆５４が内側アームに設けられたロック孔５６に係入されてロックされるが、案内部材５０は、外側アーム１４の平板部１４ＡＷを貫通する筒部６０に設けられてこの平板部１４ＡＷの内面に係合する基部６２を有し、ロックばね５２は、この案内部材５０の基部６２が平板部１４ＡＷの内面に係合するように案内部材５０を付勢している。【選択図】        図５
2006002370.tif 000002
【特許請求の範囲】
【請求項１】
内側アームと前記内側アームが摺動自在に嵌合された外側アームとを含むステー本体と前記ステー本体の内外のアームを所定の重合位置でロックするロック手段とを備え、前記ロック手段は、前記外側アームに取り付けられた案内部材に配置されてロックばねによって付勢されるロック杆と前記内側アームに設けられ前記内外のアームをロックするように前記ロック杆が係入するロック孔とから成っている伸縮ステーにおいて、前記ロック手段の案内部材は、前記外側アームの平板部の内面に係合する基部を備え、前記ロックばねは、前記案内部材の前記基部が前記平板部の内面に係合するように前記案内部材を更に付勢していることを特徴とする伸縮ステー。
【請求項２】
内側アームと前記内側アームが摺動自在に嵌合された外側アームとを含むステー本体と前記ステー本体の内外のアームを所定の重合位置でロックするロック手段とを備え、前記ロック手段は、前記外側アームに取り付けられた案内部材に配置されてロックばねによって付勢されるロック杆と前記内側アームに設けられ前記内外のアームをロックするように前記ロック杆が係入するロック孔とから成っている伸縮ステーにおいて、前記ロック手段の案内部材は、前記外側アームの平板部を貫通する筒部と前記筒部に設けられ前記平板部の内面に係合する基部とから成り、前記ロックばねは、前記案内部材の前記基部が前記平板部の内面に係合するように前記案内部材を更に付勢していることを特徴とする伸縮ステー。
【請求項３】
請求項１又は２に記載の伸縮ステーであって、前記案内部材の基部と前記外側アームの平板部とを係止したことを特徴とする伸縮ステー。
【請求項４】
請求項１又は２に記載の伸縮ステーであって、前記案内部材の基部は、前記外側アームの平板部の係止部に係止する少なくとも１つの係止突起を有することを特徴とする伸縮ステー。
【請求項５】
請求項４に記載の伸縮ステーであって、前記外側アームの平板部の係止部は、係止孔であることを特徴とする伸縮ステー。
【請求項６】
請求項２乃至５のいずれかに記載の伸縮ステーであって、前記案内部材の筒部は、前記ばねの上端が係合するばね係合部を有することを特徴とする伸縮ステー。
【発明の詳細な説明】
【技術分野】
【０００１】
本発明は、物体又は構築物の揺動式開閉蓋又は扉の如き種々の揺動部材を所定角度の開放位置で支えるのに用いられる伸縮ステーに関し、特に相互に摺動自在に嵌合された内外のアームを所定伸縮位置でロックするロック杆を案内する案内部材の取り付けを改良した伸縮ステーに関するものである。
【背景技術】
【０００２】
この種の伸縮ステーは、一般に、内側アーム（第１のアーム）とこの内側アームが摺動自在に嵌合された外側アーム（第２のアーム）とを含むステー本体と、ステー本体の内外のアームを所定の重合位置でロックするロック手段とを備えており、ロック手段は、外側アームに取り付けられた案内筒に配置されてロックばねによって内側アームに向けて付勢されるロック杆と内側アームに設けられ内外のアームをロックするようにロック杆が係入するロック孔とから成っている（特許文献１参照）。ロック杆は、案内筒から露出する先端部分に固定された摘みを有し、この摘みをロックばねに抗して引き上げてロック杆をロック孔から外してロックを解除するようにしている。
【０００３】
従来技術の伸縮ステーにおいて、ロック手段の案内筒は、外側アームの平板部の取付孔を貫通して取り付けられるが、案内筒の下縁は薄肉小径部を有し、この薄肉小径部を外側アームの内側から加締めて案内筒を薄肉小径部の肩部と加締め部とで挟持して外側アームに取り付けられている（特許文献１の図４及びその説明部分参照）。
【０００４】
しかし、このような構造では、案内筒を外側アームに取り付ける構造が複雑であり、特に案内筒の薄肉小径部を外側アームの狭い内部で加締める作業は極めて困難であって、取り付けが面倒である欠点を有していた。
【０００５】
【特許文献１】実公平６−４０８２５号公報
【発明の開示】
【発明が解決しようとする課題】
【０００６】
本発明が解決しようとする１つの課題は、案内部材の取り付けが簡単であり、従って組み立てが容易な伸縮ステーを提供することにある。
【０００７】
本発明が解決しようとする他の課題は、案内部材を取り付ける特別な作業を必要とすることなく、組み立てることができる伸縮ステーを提供することにある。
【課題を解決するための手段】
【０００８】
本発明の１つの基本的な課題解決手段は、内側アームとこの内側アームが摺動自在に嵌合された外側アームとを含むステー本体とこのステー本体の内外のアームを所定の重合位置でロックするロック手段とを備え、ロック手段は、外側アームに取り付けられた案内部材に配置されてロックばねによって付勢されるロック杆と内側アームに設けられ前記内外のアームをロックするようにロック杆が係入するロック孔とから成っている伸縮ステーにおいて、ロック手段の案内部材は、外側アームの平板部の内面に係合する基部を備え、ロックばねは、この案内部材の基部が平板部の内面に係合するように案内部材を更に付勢していることを特徴とする伸縮ステーを提供することにある。
【０００９】
本発明の基本的な課題解決手段において、ロック手段の案内部材は、
基部に設けられ外側アームの平板部を貫通する筒部を備えているものとすることができる。
【００１０】
また、本発明の基本的な課題解決手段において、案内部材の基部と外側アームの平板部とを係止していることが好ましく、この係止は、基部に設けられ外側アームの平板部の係止部に係止する係止突起によって行うことができ、この場合、この係止部は、係止孔とすることができる。
【００１１】
また、案内部材は、ばねの付勢を受けるために、筒部にばねの上端が係合するばね係合部を有するのが好ましい。
【発明の効果】
【００１２】
本発明によれば、上記のように、ロック手段の案内部材が外側アームの平板部の内面に係合する基部を有していて、ロック杆を付勢するロックばねがこの案内部材の基部が平板部の内面に係合するように案内部材を付勢しているので、ロックばねが案内部材を外側アームに固定する機能を有し、案内部材を外側アームに固定する特別の手段を必要とすることがなく、案内筒の取付構造が簡単となる上に、案内筒を加締める面倒な作業を必要とすることがなく、組み立てが容易な伸縮ステーを安価に提供することができる。
【発明を実施するための最良の形態】
【００１３】
本発明の実施の形態を図面を参照して詳細に述べると、図１乃至図５は、本発明の１つの実施の形態による伸縮ステー１０を示す。この伸縮ステー１０は、内側アーム１２とこの内側アーム１２が摺動自在に嵌合された外側アーム１４とを含むステー本体１６と、このステー本体１６の内外のアーム１２、１４を所定の重合位置でロックするロック手段１８とを備えている。内外のアーム１２、１４は、ステンレスその他の適宜の金属材料から作られる。
【００１４】
図示の例では、内側アーム１２は、図４から解るように、断面略Ｕ字形の形態を有し、その上側開口部には内側に向けて水平に延びる突縁１２ａを有するが、非取付端（図４の右端）では上側が符号１２ｂに示すように閉じられている。また、外側アーム１４は、断面矩形の形態を有し、その一方の平板部１４ＡＷにロック手段１８の後に述べる案内部材の筒部が貫通する筒貫通孔２０とその両側にあって同様に後に述べる案内部材の係止突起が係止する係止孔２２Ｈ、２２’Ｈである係止部２２が設けられている。図４から解るように、筒貫通孔２０は、略矩形の形態を有する。
【００１５】
内側アーム１２は、その閉じられた非取付端を上下から挟むように取り付けられる上下のスライダ片２４Ｐ、２４’Ｐから成るスライダ２４を有し、また外側アーム１４は、その非取付端（図４の左端）内に挿入されて取り付けられた上下のスライダ片２６Ｐ、２６’Ｐから成るスライダ２６を有する。内側アーム１２の非取付端は、スライダ２４が外側アーム１４の内面に係合して摺動し、また内側アーム１２の他の部分は、外側アーム１４内のスライダ２６に係合して摺動する。従って、内側アーム１２の本体は、スライダを有する部分を除いて外側アーム１４の上下の平板部に接触していない状態で外側アーム１４内を摺動する。なお、本明細書において「非取付端」とは、伸縮ステーが扉やこの扉によって開閉される物体に取り付けられる端ではない端を意味する。
【００１６】
スライダ片２４Ｐ、２４’Ｐは、図４及び図５に示すように、その相対する面に突起２４Ａ、２４’Ａを有し、これらの突起ピン２４Ａ、２４’Ａは、内側アーム１２の取付孔２４Ｈ、２４’Ｈに圧入してスライダ片２４Ｐ、２４’Ｐを内側アーム１２に固定し、またスライダ片２６Ｐは、図４及び図５に示すように、その外面に突起２６Ａを有し、この突起２６Ａは、外側アーム１４の取付孔２６Ｈに圧入してスライダ片２６Ｐを外側アーム１４に固定し、スライダ片２６’は、図４及び図５に示すように、その外面に突板部２６’Ａを有し、この突板部２６’Ａは、外側アーム１４の矩形状の係止孔１４Ｈ（図６参照）に係入してスライダ片２６’Ｐを外側アーム１４に固定している。なお、係止孔１４Ｈは、後にステーの組立てに関連して述べるように、案内部材５０を外側アーム１４に組み込む際に案内部材５０が通過する孔を兼ねている。
【００１７】
内側アーム１２の取付端（図１の左端）には、例えば、図示しない収納箱の扉の如き開閉部材の背面にねじ止めされるべき略Ｌ字形のブラケット３０が枢動自在に取り付けられている。更に詳細に述べると、このブラケット３０は、図１及び図３から解るように、ブラケット３０の取付け片３０Ａに設けられたピン３２を内側アーム１２の取付端に設けられた取付孔３２Ｈを貫通させて内側アーム１２内に突出するピン部分に座金３６を嵌め、更にその上の係止溝３２ＧにＣ形止め輪３８を嵌めて込んで内側アーム１２に枢動自在に取り付けられている。ブラケット３０の固定片３０Ｂにはねじ貫通孔３０Ｈを有し、ブラケット３０は、このねじ貫通孔３０Ｈにねじを貫通して開閉部材にねじ止めされる。
【００１８】
また、外側アーム１４の取付端（図１の右端）には、例えば、収納箱の開口縁にねじ止めされるべき略三角形の平板状のブラケット４０が枢動自在に取り付けられている。更に詳細に述べると、このブラケット４０は、図１及び図２から解るように、その三角形の頂部付近に設けられたピン４２を外側アーム１４の他方の平板部１４ＢＷに設けられた取付孔４２Ｈを貫通させて外側アーム１４内に突出するピン部分の環状溝４２Ｇにホルダー４４を嵌め込んでこのピン４２を弾性的に保持している。ホルダー４４は、ピンの環状溝４２Ｇを抱き込むＣ形ばね４４Ｓとこのばね４４Ｓを保持して外側アーム１４の取付端の開口部に嵌め込むことができる嵌め込み部４４Ｈとから成っている。ブラケット４０にはねじ貫通孔４０Ｈを有し、ブラケット４０は、このねじ貫通孔４０Ｈにねじを貫通して収納箱の開口縁にねじ止めされる。
【００１９】
ロック手段１８は、特に、図４及び図５から解るように、アーム１４に取り付けられた案内部材５０に配置されてロックばね５２によって付勢されるロック杆５４と内側アーム１２に設けられ内外のアーム１２、１４をロックするようにロック杆５４が係入するロック孔５６とから成っている。ロック手段１８は、更に、ロック杆５４の頂部に固定されてロック杆５４をロックばね５２に抗してロック孔５６から抜き出すための冠状の摘み５８を有する。ロック孔５６は、図４に示すように、ステー１０の伸長状態でロック杆５４が係入するように、内側アーム１２の右側に設けられている。
【００２０】
図４及び図５に示すように、ロック手段１８の案内部材５０は、外側アーム１４の平板部１４ＡＷに設けられた筒貫通孔２０を貫通しロック杆５４を案内する筒部６０とこの筒部６０に一体に設けられ平板部１４ＡＷの内面に係合する基部６２とから成っている。
【００２１】
案内部材５０の筒部６０は、図４から解るように、筒貫通孔２０の形状に相応するほぼ矩形の断面の外周面を有し、従って筒部６０は、筒貫通孔２０を貫通して外側アーム１４に取り付けられると、回り止め状態で取り付けられる。基部６２は、図４から解るように、筒部６０の両側から水平に延びる平板の形態を有し、その両側面には内側アーム１２の突条１２ａが係入して内側アーム１２の長手方向の移動を許す逃げ溝６２Ｇを有する。なお、既に述べたように、案内部材５０は、外側アーム１４の平板部１４ＢＷ側に設けられたスライダ係止用の係止孔１４Ｈ（図６（Ｂ）（Ｃ）参照）を通して外側アーム１４内に入り込むことができる。
【００２２】
ロックばね５２は、筒部６０の上端に設けられた内鍔の形態のばね係止部６０Ｆ（図５参照）とロック杆５４の肩部５４Ｓとの間に配置されてロック杆５４を図５の下向きに付勢してロック杆５４の先端部５４Ｔをロック孔５６に係入すると共に、案内部材５０の筒部６０を図５の上向きに付勢して基部６２を外側アーム１４の平板部１４ＡＷの内面に係合している。従って、案内部材５０は、ロックばね５４の付勢によって基部６２を外側アーム１４に押し付けて固定されることが解る。
【００２３】
案内部材５０の基部６２は、外側アーム１４の平板部１４ＡＷの係止孔２２Ｈ、２２’Ｈに入り込んで係止される係止突起６４、６４’を有し、従って案内部材５０は、筒部６０と係止突起６４、６４’とが外側アーム１４の平板部１４ＡＷに係止してロックばね５４による付勢と相俟って外側アーム１４に確実に固定される。なお、図示の形態では、案内部材５０の係止突起６４、６４’が係入する係止部２２が係止孔２２Ｈ、２２’Ｈであったが、これは係止突起６４、６４’が係入する係止溝であってもよい。
【００２４】
摘み５８は、案内部材５０の筒部６０に被せられるようにしてロック杆５４に取り付けられている。更に詳細に述べると、摘み５８は、図５及び図７に示すように、その内部に中壁６６を有し、頭付きボルト６８は、この中壁６６のボルト貫通孔６６Ｈを貫通してロック杆５４にねじ込まれて摘み５８をロック杆５４に固定している。キャップ７０は、摘み５８の頂部のへこみ５８Ｒに位置する頭付きボルト６８の頭部を隠蔽するように摘み５８のへこみ５８Ｒに係入して被せられる。なお、図５において、符号７２、７２’は、摘み５８の中壁６６とロック杆５４の頭部との間及び中壁６６と頭付きボルト６８の頭部との間にそれぞれ挿入された座金、また符号７４は、頭付きボルト６８が中壁６６を貫通する部分に配置されたスペーサである。
【００２５】
次に、本発明の伸縮ステーの組み立て方法を述べると、図４に示すように、案内部材５０を外側アーム１４のスライダ係止用の係止孔１４Ｈを通して外側アーム１４に入り込ませ、この案内部材５０の筒部６０内にロックばね５２とロック杆５４とを挿入する。
【００２６】
摘み５８の中壁６６のボルト貫通孔６６Ｈにスペーサ７４を挿入し、頭付きボルト６８をこのボルト貫通孔６６Ｈに貫通し、ロック杆５４を座金７２、７２’で挟んで摘み５８を案内部材５０の筒部６０に被せ、頭付きボルト６８をロック杆５４に締め込んで摘み５８をロック杆５４に取り付けると共に案内部材５０の基部６２を外側アーム１４の平板部１４ＡＷの内面に押し付ける。なお、摘み５８のへこみ５８Ｒは、キャップ７０を押し込んで隠蔽する。
【００２７】
次いで、摘み５８によってロック杆５４をロック孔５６から解除しながら下スライダ片２６’Ｐをその突板部２６’Ａが係止孔１４Ｈに係入されるまで引き込み、その後上スライダ片２６を押し込む。図５に示すように、上スライダ片２６の係止突起２６Ａは、押し込み方向に次第に上向きに傾斜する傾斜面２６ＡＳを有するので、上スライダ片２６Ｐは、この傾斜面２６ＡＳに沿って押し下げられながら押し込まれて係止突起２６Ａが係止孔２６Ｈに相対すると、係止突起２６Ａが係止孔２６Ｈに嵌まり込み、上下のスライダ片２６Ｐ、２６’Ｐが外側アーム１４に固定される。摘み５８を解放すると、ロック杆５４は、下スライダ片２６’のロック杆逃げ孔２６’ｈに係入するが、この逃げ孔２６’ｈは、設けなくてもよい。
【００２８】
内側アーム１２の非取付端に上下のスライダ片２４Ｐ、２４’Ｐを取り付けた後、外側アーム１４の取付端側の開口から内側アーム１２を引き入れ、その取付端を外側アーム１４の非取付端の開口から引き出す（図１参照）。この作業は、摘み５８をロック解除の方向に持ち上げながら行われる。
【００２９】
次いで、内側アーム１２の取付端にブラケット３０を取付け、また外側アーム１４の取付端にブラケット４０を取り付けて伸縮ステー１０の組み立てを完了する。
【００３０】
この伸縮ステー１０は、例えば、ブラケット３０及び４０を収納箱の蓋と箱本体にそれぞれねじ止めして収納箱に使用することができる。伸縮ステー１０の内側アーム１２を引き出して伸縮ステー１０を伸長しながら蓋を開くことができ、この開放状態を維持するために、摘み５８を解放すると、ロック杆５４がロックばね５２によってロック孔５６に係入してこの伸張状態を維持する。蓋を閉じるときには、摘み５８をロックばね５２に抗して持ち上げて内側アーム１２を引き込みながら蓋を閉じる。
【００３１】
本発明の伸縮ステー１０は、ロック手段１８の案内部材５０が外側アーム１４の平板部１４ＡＷの内面に係合する基部６２を有していて、ロック杆５４を付勢するロックばね５２がこの案内部材５０の基部６２が平板部１４ＡＷの内面に係合するように案内部材５０を付勢しているので、ロックばね５２が案内部材５０を外側アーム１４に固定する機能を有する。従って、案内部材５０を外側アーム１４に固定する特別の手段を必要としないことが解る。
【００３２】
なお、上記の実施の形態では、基部６２に筒部６０が一体に設けられているが、基部６２自体の孔がロック杆５４の案内機能を有するので、外側アーム１４の平板部１４ＡＷを貫通する筒部５０を有していなくともよい。
【産業上の利用可能性】
【００３３】
本発明は、ロック杆をロック孔に係入するように付勢するロックばねがこのロック杆を案内する案内部材を外側アームの内面に押し付けて固定する機能を有するので、案内部材を外側アームに固定する特別の手段を必要とすることがなく、組み立てが容易であり、産業上の利用性が高いことが解る。
【図面の簡単な説明】
【００３４】
【図１】本発明に係わる伸縮ステーのブラケットを取り外した状態の斜視図である。
【図２】図１の伸縮ステーの正面図である。
【図３】図１の伸縮ステーの側面である。
【図４】図１の伸縮ステーの分解斜視図である。
【図５】本発明の要部の拡大断面図である。
【図６】図１の伸縮ステーに用いられる外側アームを示し、同図（Ａ）は、その正面図、同図（Ｂ）は、その上面図、同図（Ｃ）は、その背面図である。
【図７】図１の伸縮ステーに用いられる摘みの拡大断面図である。
【符号の説明】
【００３５】
１０  伸縮ステー
１２  内側アーム
１２ａ  内側アームの突縁
１２ｂ  内側アームの閉じ部
１４  外側アーム
１４Ｈ  係止孔
１４ＡＷ  外側アームの一方の平板部
１４ＢＷ  外側アームの他方の平板部
１６  ステー本体
１８  ロック手段
２０  筒貫通孔
２２  係止部
２２Ｈ、２２’Ｈ  係止孔
２４  スライダ
２４Ｐ、２４’Ｐ  上下のスライダ片
２４Ａ、２４’Ａ  突起ピン
２４Ｈ、２４’Ｈ  取付孔
２６  スライダ
２６Ｐ、２６’Ｐ  上下のスライダ片
２６Ａ  スライダ片２６Ｐの突起
２６ＡＳ  突起の傾斜面
２６Ｈ、２６’Ｈ  外側アームの取付孔
２６’Ａ  スライダ片２６’Ｐの突板部
２６’ｈ  下スライダ片のロック杆の逃げ孔
３０  ブラケット
３０Ａ  取付け片
３０Ｈ  ねじ貫通孔
３２  ピン
３４  取付孔
３２Ｇ  係止溝
３６  座金
３８  Ｃ形止め輪
４０  ブラケット
４０Ｈ  ねじ貫通孔
４２  ピン
４２Ｇ  環状溝
４４  ホルダー
４４Ｓ  Ｃ形ばね
４４Ｈ  嵌め込み部
５０  案内部材
５２  ロックばね
５４  ロック杆
５４Ｓ  肩部
５６、５６Ａ、５６Ｂ  ロック孔
５８  冠状の摘み
５８Ｒ  へこみ
６０  筒部
６０Ｆ  ばね係止部
６２  基部
６２Ｇ  逃げ溝
６４、６４’  係止突起
６６  中壁
６６Ｈ  ボルト貫通孔
６８  頭付きボルト
７０  キャップ
７２、７２’  座金
７４  スペーサ
【図１】
2006002370.tif 000003
【図２】
2006002370.tif 000004
【図３】
2006002370.tif 000005
【図４】
2006002370.tif 000006
【図５】
2006002370.tif 000007
【図６】
2006002370.tif 000008
【図７】
2006002370.tif 000009